(57)【要約】【課題】外気を利用する場合に多くの吸気スペースを確保することができ、十分な吸気量を得ることができる天井埋込型室内ユニットを提供する。【解決手段】筐体１の内部に遠心送風機３を収容し、筐体１の下面の開口にドレンパン７を装着するとともに、ドレンパン７の下方に室内空気を吸い込む化粧パネル１３を配置し、筐体１の一端側に、外気取り入れ穴を形成し、ドレンパン７の一端側に、外気取り入れ穴からドレンパン７と化粧パネルとで形成される吸い込み空間に外気を導入するためのスリット７１が形成され、スリット７１により囲まれた部分に、外気取り入れ時に切り取られる切り取り部７２を形成した。【選択図】図６
2019148353.tif 000002
【特許請求の範囲】
【請求項１】
筐体の内部に送風機を収容し、前記筐体の下面の開口にドレンパンを装着するとともに、前記ドレンパンの下方に室内空気を吸い込む化粧パネルを配置してなる天井埋込型室内ユニットにおいて、
前記筐体の一端側に、外気取り入れ穴を形成し、
前記ドレンパンの一端側に、前記外気取り入れ穴から前記ドレンパンと化粧パネルとで形成される吸い込み空間に外気を導入するためのスリットが形成され、前記スリットにより囲まれた部分に、外気取り入れ時に切り取られる切り取り部を形成したことを特徴とする天井埋込型室内ユニット。
【請求項２】
前記送風機は、遠心送風機であることを特徴とする請求項１に記載の天井埋込型室内ユニット。
【請求項３】
前記ドレンパンは、前記切り取り部より両外側に設けられたシール部材を備えていることを特徴とする請求項１または請求項２に記載の天井埋込型室内ユニット。
【発明の詳細な説明】
【技術分野】
【０００１】
本発明は、天井埋込型室内ユニットに関する。
【背景技術】
【０００２】
従来から、天井埋込型室内ユニットにおいて、室内機本体は、板金製の外箱を有し、この外箱の短辺部に外気取り入れ用の穴が形成され、外気取り入れダクトを連結することにより、外気の取り入れを行うことができるようにした技術が開示されている（例えば、特許文献１参照）。
【先行技術文献】
【特許文献】
【０００３】
【特許文献１】特開２００３−２３２５３４号公報
【発明の概要】
【発明が解決しようとする課題】
【０００４】
しかしながら、前記特許文献１の技術においては、室内空気を利用する場合と、外気を利用する場合とで同様の外箱を利用するようにしているので、外気を利用する場合に吸気スペースを十分に確保することができず、必要な吸気量を得ることができない問題がある。特に、送風機として遠心送風機を用いた場合には、外気を遠心送風機の吸い込み側に導く必要があり、多くの吸気スペースが必要となる。
本発明は、前記した事情に鑑みてなされたものであり、外気を利用する場合に多くの吸気スペースを確保することができ、十分な吸気量を得ることができる天井埋込型室内ユニットを提供することを目的とするものである。
【課題を解決するための手段】
【０００５】
前記目的を達成するため、本発明は、筐体の内部に送風機を収容し、前記筐体の下面の開口にドレンパンを装着するとともに、前記ドレンパンの下方に室内空気を吸い込む化粧パネルを配置してなる天井埋込型室内ユニットにおいて、前記筐体の一端側に、外気取り入れ穴を形成し、前記ドレンパンの一端側に、前記外気取り入れ穴から前記ドレンパンと化粧パネルとで形成される吸い込み空間に外気を導入するためのスリットが形成され、前記スリットにより囲まれた部分に、外気取り入れ時に切り取られる切り取り部を形成したことを特徴とする。
これによれば、ドレンパンの切り取り部を切り取って除去するだけで、容易に外気を利用することができる。
【発明の効果】
【０００６】
本発明の天井埋込型室内ユニットによれば、ドレンパンの切り取り部を切り取って除去するだけで、容易に外気を利用することができる。また、切り取り部を除去することにより、外気を利用する場合に多くの吸気スペースを確保することができ、十分な吸気量を得ることができる。さらに、簡単な構造であるため、製造が容易であり、外気を利用する場合に作業も容易に行うことができる。
【図面の簡単な説明】
【０００７】
【図１】本発明に係る天井埋込型室内ユニットを示す斜視図。
【図２】本実施形態の天井埋込型室内ユニットの底面図。
【図３】本実施形態の天井埋込型室内ユニットの化粧パネルを外した状態を示す底面図。
【図４】本実施形態の天井埋込型室内ユニットの縦断面図。
【図５】本実施形態の天井埋込型室内ユニットの側面断面図。
【図６】本実施形態の室内空気を利用する場合のドレンパンを示す一部の斜視図。
【図７】本実施形態の外気を利用する場合のドレンパンを示す一部の斜視図。
【発明を実施するための形態】
【０００８】
第１の発明は、筐体の内部に送風機を収容し、前記筐体の下面の開口にドレンパンを装着するとともに、前記ドレンパンの下方に室内空気を吸い込む化粧パネルを配置してなる天井埋込型室内ユニットにおいて、前記筐体の一端側に、外気取り入れ穴を形成し、前記ドレンパンの一端側に、前記外気取り入れ穴から前記ドレンパンと化粧パネルとで形成される吸い込み空間に外気を導入するためのスリットが形成され、前記スリットにより囲まれた部分に、外気取り入れ時に切り取られる切り取り部を形成した。
これによれば、ドレンパンの切り取り部を切り取って除去するだけで、容易に外気を利用することができる。また、切り取り部を除去することにより、外気を利用する場合に多くの吸気スペースを確保することができ、十分な吸気量を得ることができる。さらに、簡単な構造であるため、製造が容易であり、外気を利用する場合に作業も容易に行うことができる。
【０００９】
第２の発明は、前記送風機は、遠心送風機である。
これによれば、遠心送風機を用いた場合でも、切り取り部を除去することにより、外気を利用する場合に多くの吸気スペースを確保することができ、十分な吸気量を得ることができる。さらに、簡単な構造であるため、製造が容易であり、外気を利用する場合に作業も容易に行うことができる。
【００１０】
第３の発明は、前記ドレンパンは、前記切り取り部より両外側に設けられたシール部材を備えている。
これによれば、シール部材により、外気を利用する場合に外気が筐体の他の部分に漏洩してしまうことを防止することができる。
【００１１】
以下、本発明の一実施の形態を、図面を参照して説明する。
図１は、本発明の実施の形態に係る天井埋込型室内ユニットを示す斜視図である。図２は、天井埋込型室内ユニットの底面図である。図３は、天井埋込型室内ユニットの化粧パネルを外した状態を示す底面図である。図４は、天井埋込型室内ユニットの縦断面図である。
【００１２】
天井埋込型室内ユニット１００は、天井に設置され下面が開口された箱型の筐体１と、筐体１の下側開口を覆う化粧パネル１３とを備えている。
図４に示すように、筐体１の内部には、送風機としての遠心送風機３が収納されており、筐体１の内側には、遠心送風機３を囲むように、略Ｕの字型の熱交換器５が配置されている。
熱交換器５の開放部分には、開放部分を閉塞する仕切板（図示せず）が設けられ、仕切板は熱交換器５の内側に向かって突出する山形に形成されている。
【００１３】
図４に示すように、筐体１の下面の開口には、発砲スチロール製の断熱材からなるドレンパン７が嵌め込まれている。ドレンパン７の上面には、熱交換器５の形状に対応させて、平面視では、略Ｕ字状となる凹所７Ａが形成され、凹所７Ａには熱交換器５が設置される。
図３に示すように、ドレンパン７の両側部には、筐体１の長手方向に沿って延在する長方形の吐出口８、９が形成されている。ドレンパン７の略中央には、円形の中央開口１０が設けられ、中央開口１０には、遠心送風機３の樹脂製のベルマウス１１が配置されている。
【００１４】
図３に示すように、ドレンパン７の下面側には、電装箱２１と、センターパネル１７の昇降装置３１とが設置されている。
電装箱２１は、ベルマウス１１を挟んで、筐体１の長手方向の一側に配置され、昇降装置３１は、筐体１の長手方向の他側に配置される。昇降装置３１は、ドレンパン７から浮いた状態で固定され、ドレンパン７と昇降装置３１との間には、通風路が確保される。
電装箱２１には、図示しないが、各部を中枢的に制御する制御部が収納される。制御部は、演算実行部としてのＣＰＵ、このＣＰＵによって実行可能な基本制御プログラムや、所定のデータなどを記憶するＲＯＭ、ＲＡＭなどのメモリ、その他の周辺回路などを備えている。
【００１５】
昇降装置３１は、図１に示すように、４本の吊り紐２２を介して、センターパネル１７を昇降させるためのものである。昇降装置３１により、センターパネル１７は、化粧パネル１３から昇降自在に吊り下げられる。
吸込みフィルタ１８の清掃時には、センターパネル１７を適宜の位置に降下させ、センターパネル１７から吸込みフィルタ１８を取り外して清掃することができる。
【００１６】
ドレンパン７の下方には、図２に示すように、化粧パネル１３が配置されている。
化粧パネル１３の中央には、矩形状の大きな開口１３Ａが形成されている。この開口１３Ａには、板金製のセンターパネル１７が配置されている。センターパネル１７の上面には、図１および図２に示すように、吸込みフィルタ１８が取り付けられている。吸込みフィルタ１８の周辺部は、ドレンパン７のシール面（図示せず）に当接される。
化粧パネル１３には、ドレンパン７の吐出口８、９に対応させて、一対の長方形のパネル側吹出口１４、１５が形成されている。パネル側吹出口１４、１５には、空気の吹き出し方向を調整可能な風向変更羽根１６が揺動自在に設けられている。
室内空気は、遠心送風機３によって開口１３Ａから吸い込まれ、熱交換器５を通過して熱交換され、パネル側吹出口１４、１５から空調後の空気が室内へと送られる。
本実施形態の天井埋込型室内ユニット１００は、一対のパネル側吐出口８、９を備えた、所謂、二方向カセット型の天井埋込型室内ユニット１００である。
【００１７】
図５は、天井埋込型室内ユニットの側面断面図である。図６は、室内空気を利用する場合のドレンパンを示す一部の斜視図である。図７は、外気を利用する場合のドレンパンを示す一部の斜視図である。
筐体１の一側面には、外気を取り入れる外気取り入れダクト６０を連結するための外気取り入れ穴（図示せず）が形成されている。外気取り入れ穴の周辺部には、図示しない切り取り用スリットが形成され、外気を利用する場合は、この切り取り用スリットの両端部に沿って切断することにより、外気取り入れ穴を形成することができるものである。そして、外気取り入れ穴に外気取り入れダクト６０を連結することにより、外気取り入れダクト６０を介して外気を筐体１の内部に供給することができるように構成されている。
筐体１の外気取り入れ穴の内側には、外気取り入れ穴から流入する外気を図５において下方に案内するガイド板６１が設けられている。
【００１８】
ドレンパン７の下面には、遠心送風機３のベルマウス１１に連続する凹部７０が形成されている。ドレンパン７の一側には、ドレンパン７の側面に開口しガイド板６１に連通するとともに、ドレンパン７の凹部７０に連通するスリット７１が幅方向に延在するように形成されている。スリット７１は、断面略Ｌ字状に形成されている。
このように構成することにより、スリット７１で囲まれた部分に、ドレンパン７の切り取り部７２が形成される。
すなわち、本実施形態においては、室内空気を利用する場合には、図６に示すように、切り取り部７２を残した状態で使用される。このとき、スリット７１は、図示しない閉塞部材により閉塞して使用される。
【００１９】
一方、外気を利用する場合には、図７に示すように、図６に破線で示すスリット７１の両端部分において、切り取り部７２を切断して除去することにより、ガイド板６１からスリット７１および凹部７０を介して遠心送風機３に至る空気の流路を形成することができるように構成されている。
【００２０】
また、ドレンパン７の切り取り部７２の両外側には、例えば、ウレタン材料などからなり筐体１の内面に当接するシール部材７３が設けられている。これにより、外気を利用する場合に外気が筐体１の他の部分に漏洩してしまうことを防止することができる。
なお、切り取り部７２の切り取り箇所に、図６に破線で示すように、あらかじめ切り取り線を形成するようにすれば、天井埋込型室内ユニットを設置する作業者が容易に切り取り箇所を認識することができ、作業効率を向上させることができる。
【００２１】
ドレンパン７には、ドレンパン７の外周部に沿って１周するドレン水通路４０が形成されている。ドレン水通路４０は、熱交換器５の外周側下方に位置している。
ドレン水通路４０は、平面視では、熱交換器５の下面に沿う四角形状に形成されている。ドレン水通路４０は、その４つの角部の内の１か所が、最も高くなるように形成されており、その角部の対角線に当たる角部が最も低くなるように形成されている。
これにより、熱交換器５から滴下するドレンは、ドレン水通路４０を流れ、最も低い角部に貯留するように構成されている。
筐体１には、ドレン水通路４０の最も低い位置に対応する箇所に、ドレン水を排出するドレンポンプ（図示せず）が配置されている。また、ドレンポンプの近傍には、ドレン水通路４０に貯留されたドレンが所定の水位になったか否かを検出するフロートスイッチ（図示せず）が配置されている。そして、ドレンが所定の水位になったことをフロートスイッチが検出した場合に、ドレンポンプを駆動してドレンの排出するように構成されている。
ドレン水通路４０の最も低い位置の底面には、ドレンパン７を貫通する排水口４３が設けられている。この排水口４３は、通常の使用状態では、閉塞されている。
【００２２】
次に、本実施形態の作用について説明する。
本実施形態においては、室内空気を利用する場合は、ドレンパン７の切り取り部７２を残したまま使用される。
そして、遠心送風機３を動作させると、図４に矢印で示すように、室内空気が、化粧パネル１３の開口１３Ａと、センターパネル１７との隙間を通り、さらに吸込みフィルタ１８を通って、ドレンパン７の下面の凹所に入る。そして、遠心送風機３のベルマウス１１を通り、熱交換器５の一次側の空間に吸い込まれる。一次側の空間に入った空気は、遠心送風機３により遠心力を与えられ、外方に向かい、熱交換器５で熱交換した後、二次側の空間に入り、矢印で示すように、空間を下方に流れ、吐出口８、９を経て、パネル側吹出口１４、１５から室内に吹き出される。
【００２３】
また、外気を利用する場合は、ドレンパン７の切り取り部７２を切断して除去し、外気取り入れダクト６０を連結する。これにより、外気取り入れダクト６０、ガイド板６１、スリット７１および凹部７０を順次介して遠心送風機３に至る空気の流路を形成する。
そして、遠心送風機３を動作させると、外気取り入れダクト６０から送られる外気が、ガイド板６１、スリット７１および凹部７０を通り、遠心送風機３のベルマウス１１から吸い込まれる。その後、ベルマウス１１から吸い込まれた外気は、熱交換器５を通って熱交換した後、吐出口８、９を経て、パネル側吹出口１４、１５から室内に吹き出される。
【００２４】
以上説明したように、本実施形態においては、筐体１の内部に遠心送風機３（送風機）を収容し、筐体１の下面の開口にドレンパン７を装着するとともに、ドレンパン７の下方に室内空気を吸い込む化粧パネル１３を配置し、筐体１の一端側に、外気取り入れ穴を形成し、ドレンパン７の一端側に、外気取り入れ穴からドレンパン７と化粧パネルとで形成される吸い込み空間に外気を導入するためのスリット７１が形成され、スリット７１により囲まれた部分に、外気取り入れ時に切り取られる切り取り部７２を形成した。
これによれば、ドレンパン７の切り取り部７２を切り取って除去するだけで、容易に外気を利用することができる。また、切り取り部７２を除去することにより、外気を利用する場合に多くの吸気スペースを確保することができ、十分な吸気量を得ることができる。さらに、簡単な構造であるため、製造が容易であり、外気を利用する場合に作業も容易に行うことができる。
【００２５】
また、本実施形態においては、ドレンパン７は、切り取り部７２より両外側に設けられたシール部材７３を備えている。
これによれば、シール部材７３により、外気を利用する場合に外気が筐体１の他の部分に漏洩してしまうことを防止することができる。
【００２６】
なお、実施形態に基づいて本発明を説明したが、本発明は本実施形態に限定されるものではない。あくまでも本発明の一実施態様を例示するものであるから、本発明の趣旨を逸脱しない範囲で任意に変更、および応用が可能である。
【産業上の利用可能性】
【００２７】
以上のように、本発明に係る天井埋込型室内ユニットは、外気を利用する場合に、多くの吸気スペースを確保することができ、十分な吸気量を得ることができる天井埋込型室内ユニットとして好適に利用可能である。
【符号の説明】
【００２８】
１  筐体
３  遠心送風機
５  熱交換器
７  ドレンパン
１３  化粧パネル
１６  風向変更羽根
１７  センターパネル
１８  送風機
３１  昇降装置
４０  ドレン水通路
４１  ドレンポンプ
４２  フロートスイッチ
４３  排水口
６０  ダクト
６１  ガイド板
７０  凹部
７１  スリット
７２  切り取り部
７３  シール部材
１００  天井埋込型室内ユニット
【図１】
2019148353.tif 000003
【図２】
2019148353.tif 000004
【図３】
2019148353.tif 000005
【図４】
2019148353.tif 000006
【図５】
2019148353.tif 000007
【図６】
2019148353.tif 000008
【図７】
2019148353.tif 000009